(57)【要約】  足裏の筋膜炎、扁平化したアーチ、踵痛、腱膜瘤、および他の状態を和らげるために支持およびクッション性を足にもたらす整形外科用装置。
2012521810.tif 000002
【特許請求の範囲】
【請求項１】
整形外科用支持装置であって、第１の端部および第２の端部を備えた変形した、ほぼ卵形の形状を有するベース部材であって、前記ベース部材の第１の端部が、ほぼ円形であり、第２の端部が、先端部に向かってほぼ先細にされている、ベース部材と、前記ベース部材のほぼ中心にある隆起領域と、前記隆起領域内に配置された支持部材と、前記ベース部材の一方の横方向縁部に取り付けられ、前記ベース部材の一方の横方向縁部からほぼ垂直に延びる第１の端部と、前記ベース部材の反対側の横方向縁部に取り付けられ、前記ベース部材の反対側の横方向縁部からほぼ垂直に延びる第２の端部とを有する少なくとも１つの可撓性の細長い部材とを備える、装置。
【請求項２】
前記細長い部材が、エラストマー材料からなる、請求項１に記載の装置。
【請求項３】
前記ベース部材が、さらに、上面および下面を有する底部層と、上面および下面を有する上部層とを備え、前記底部層は、前記支持部材が、前記隆起領域内の前記層間に配置されるように前記上部層と対合され、前記可撓性の細長い部材の端部が、前記層間に挿入される、請求項１に記載の装置。
【請求項４】
前記ベース部材の前記上部層および前記底部層が、ネオプレン、ゴム、ポリマー、エラストマー、綿、合成繊維からなる群から選択される材料からなる、請求項３に記載の装置。
【請求項５】
前記上部層の上面を覆う繊維と、前記底部層の下面上の滑り止めテキスチャとをさらに備える、請求項３に記載の装置。
【請求項６】
前記繊維の覆いが、綿、合成繊維、ポリプロピレンからなる群から選択される材料からなる、請求項５に記載の装置。
【請求項７】
前記支持部材が、エラストマー、ゴム、ネオプレン、ポリマー、綿、合成繊維、ゲルからなる群から選択される材料からなる、請求項６に記載の装置。
【請求項８】
前記支持部材が、取り外し可能および交換可能である、請求項７に記載の装置。
【請求項９】
前記支持部材が、空気、流体、ゲルからなる群から選択される材料によって充填されたブラダーである、請求項６に記載の装置。
【請求項１０】
前記支持部材を充填する材料の量が、固定される、請求項９に記載の装置。
【請求項１１】
前記支持部材を充填する材料の量が、可変である、請求項９に記載の装置。
【請求項１２】
前記支持部材が、取り外し可能および交換可能である、請求項９に記載の装置。
【請求項１３】
前記ベース部材内に位置する振動装置をさらに備える、請求項７に記載の装置。
【請求項１４】
前記ベース部材が、穿孔されている、請求項１に記載の装置。
【請求項１５】
前記ベース部材が、熱安定性材料からなる、請求項１に記載の装置。
【請求項１６】
前記支持部材が、熱安定性材料からなる、請求項８に記載の装置。
【発明の詳細な説明】
【技術分野】
【０００１】
本装置は、整形外科用支持装置、特に足のためのアーチ支持板の分野に関する。
【背景技術】
【０００２】
多くの人々が、足のアーチにおいて適切な支持が欠如しているために足ならびに関連する脚および背中の疼痛を患っている。いわゆる「偏平足」または「扁平化したアーチ」は、遺伝性素因、不適切な履物の着用、またはけがが原因になり得る。足のアーチがその適所にないとき、足、足首、脚部、膝、臀部、およびさらには背骨もまた、位置ずれすることもある。これは、支持筋力、腱、および靱帯構造に負担をかけるとともに、骨を互いに擦りつけ疼痛を生じさせ得る場合がある。
【発明の概要】
【発明が解決しようとする課題】
【０００３】
いくつかの市販のアーチ支持板および支持用インソールが、現在存在している。しかしながら、人は、適切に適合し、機能する対を見つけるまでに、数多くの異なるタイプの市販のアーチ支持板またはインソールを試す必要がある場合があり、これには、費用および時間がかかり得る。特別に適合させた整形外科装置もまた入手可能であり、これらの適合性および機能は、市販の装置のものに比べて優れていることが多いが、これらは、よりいっそう費用がかかる。
【０００４】
これらの装置は、アーチを適切に支持することによって症状の緩和をもたらし得るが、人は、２足以上の靴に置くために複数対の支持板を購入するか、あるいは靴間で装置を連続的に取り換えなければならない。特別製の整形外科装置では、複数の装置を購入することは特に費用がかかり得る。したがって、人は、靴間で単一対の支持板を移動させる必要がないという便利性に高い値段を払わなければならない。
【０００５】
ラップは、靴および靴下と併用して、より大きな支持およびクッション性を足にもたらすように機能することができる。靱帯および腱構造を補強することによって足首関節およびアーチを支持するラップが、存在している。ほとんどのアーチラップは、足底筋膜を支持し、これにかかる過度の緊張を和らげるように圧縮をかけることによって機能する。しかしながら、これらは、具体的には、足自体を適切に位置合わせすることを助けることもできる足のアーチ真下の頑丈なアーチ支持、またはいかなるクッション性も提供しない。
【０００６】
そのような支持板およびラップは通常、足裏の筋膜炎、扁平化した縦アーチ、扁平化した中足骨アーチ、または踵痛などの１つのタイプの状態だけを和らげるように設計されている。状態が異なると、必要なラップおよび支持板の形が異なる。その結果、人は、特定の状態特有の装置を購入しなければならず、これは、他のタイプの足痛を和らげるために使用するものではないことがある。
【０００７】
必要とされるのは、任意選択で交換可能なアーチ支持、さらなるクッション性を足にもたらすことができ、複数の状態に合わせて使用され得るラップである。
【図面の簡単な説明】
【０００８】
【図１】本発明の装置の実施形態の斜視図である。
【図１Ａ】本発明の装置の実施形態の上面図である。
【図１Ｂ】本発明の装置の実施形態の側面図である。
【図１Ｃ】本発明の装置の実施形態の底面図である。
【図２】本発明の装置の実施形態の切断側面図である。
【図２Ａ】本発明の装置の支持部材の実施形態の詳細図である。
【図３】本発明の装置の別の実施形態の斜視図である。
【図４】本発明の装置の別の実施形態の斜視図である。
【図５】本発明の装置の別の実施形態の斜視図である。
【図６】本発明の装置の別の実施形態の切断斜視図である。
【発明を実施するための形態】
【０００９】
図１は、本発明の装置の実施形態の斜視図を示している。一部の実施形態では、ベース部材１０２は、そのほぼ中心に位置する隆起領域１０４を有することができる。少なくとも１つの細長い部材１０６は、ベース部材１０２の少なくとも１つの横方向縁部からほぼ垂直に、または任意の他の知られている角度および／または好都合な角度で延びることができる。
【００１０】
図１Ａに示されるように、ベース部材１０２は、ほぼ円形の一方の端部および先端部に向かって先細にされる反対側の端部を有する、ほぼ卵形の形状を有することができる。しかしながら、他の実施形態では、ベース部材は、任意の知られている形状および／または好都合な形状を有することができる。ベース部材１０２は、中実でもよく、または他の実施形態では穿孔されてもよい。
【００１１】
一部の実施形態では、ベース部材１０２は、１つの材料の一体品からなることができるが、他の実施形態では、図１Ａに示されるように、同じまたは異なる材料の少なくとも２つの層からなることができる。ベース部材１０２は、エラストマー材料、ポリマー、繊維、または任意の他の知られている材料および／または好都合な材料からなることができる。２つの層を有する実施形態では、上部層１０８および底部層１１０はそれぞれ、エラストマー材料、ネオプレン、ゴム、ポリマー、または任意の他の知られている材料および／または好都合な材料から作製され得る。一部の実施形態では、ベース部材１０２は、さらに、ウイッキング材料、絶縁材料、抗菌材料、および／または速乾性材料からなることができる。一部の実施形態では、ベース部材は、罹患した領域に熱感または冷感をもたらすために、所与の長さの時間、所望の温度を維持することができる熱安定性材料からなることができる。
【００１２】
一部の実施形態では、図１Ｂに示されるように、上部層１０８は、繊維、ポリマー、または任意の他の知られている材料および／好都合な材料の追加の層１１２で覆われた上面を有することができる。一部の実施形態では、この層１１２は、快適感を向上させるために柔らかいテキスチャまたはウイッキング特性を有する材料のものでもよい。一部の実施形態では、底部層１１０は、それだけに限定されないが、ネオプレン、または他のゴム引き材料のものなどの滑り止めテキスチャをその底面１１４上に有することができる。
【００１３】
一部の実施形態では、図１Ｃに示されるように、隆起領域１０４は、ほぼ卵形の形状を有するが、他の実施形態では、任意の他の知られている形状および／または好都合な形状を有することができる。一部の実施形態では、隆起領域１０４は、縫い目１１６によって輪郭付けされ得るが、他の実施形態では、熱溶接、超音波溶接、または任意の他の知られている方法および／または好都合な方法によって輪郭付けされ得る。図１Ｃに示されるように、隆起領域１０４は、上部層１０８の上面、底部層１１０の底面、または上部層１０８および底部層１１０の両方からから突出することができる。隆起領域１０４は、支持を強化し、ベース部材１０２とユーザの足の間に空間をもたらして空気循環を促進することによって快適感を向上させることができる。
【００１４】
一部の実施形態では、隆起部分１０４は、ベース部材１０２のみからなることができるが、他の実施形態では、図２に示されるように、さらに支持部材２０２からなることができる。一部の実施形態では、図２Ａに示されるように、支持部材２０２は、ほぼ卵形状を有することができるが、他の実施形態では、任意の他の知られている形状および／または好都合な形状を有することができる。支持部材２０２は、エラストマー材料、ゴム、ポリマー、綿、ゲル、または任意の他の知られている材料および／または好都合な材料からなることができる。他の実施形態では、支持部材２０２は、空気、水、ゲル、または任意の他の知られている材料および／または好都合な材料が固定量または可変量で充填され得るブラダーになり得る。支持部材２０２を構成する材料は、支持に対する所望のレベルの堅さをもたらすように選択され得る。支持部材２０２はまた、さまざまなサイズの足およびさまざまなレベルの所望の支持を受け入れるために多様なサイズが必要とされ得る。支持部材２０２はまた、罹患した領域に熱感または冷感の治療をもたらすために、所与の長さの時間、熱感または冷感を保持することができる熱安定性材料からなることもできる。
【００１５】
図３に示されるように、一部の実施形態では、隆起領域１０４は、さらに、ベース部材１０２の、上部層１０８または底部層１１０内、またはこれらの層の間にポケット３０２を含むことができる。そのような実施形態では、支持部材２０２は、取り外し可能になり、かつ異なるサイズまたは堅さの代替の支持部材２０２と交換可能になり得る。
【００１６】
一部の実施形態では、図１に示されるように、少なくとも１つの可撓性の細長い部材１０６は、ベース部材１０２の少なくとも１つの横方向縁部からほぼ垂直に、または任意の他の知られている向きおよび／または好都合な向きで延びることができる。図１に示されるように、一部の実施形態では、単一の可撓性の細長い部材１０６は、ベース部材１０２の一方の横方向縁部に取り付けられた一方の端部と、ベース部材１０２の反対側の横方向縁部に取り付けられた他方の端部とを有することができる。一部の実施形態では、可撓性の細長い部材１０６の端部は、縫い合わせ、接着剤、熱溶接、または任意の他の知られている方法および／または好都合な方法によってベース部材１０２に結合され得る。
【００１７】
一部の実施形態では、可撓性の細長い部材１０６は、エラストマー材料からなることができるが、他の実施形態では、任意の他の知られている材料および／または好都合な材料から作製され得る。さらに、可撓性の細長い部材１０６は、可撓性の細長い部材の長手方向軸に沿って方向付けされ得る一方向性の伸張を有するエラストマー材料からなることができる。
【００１８】
可撓性の細長い部材１０６の対を有する実施形態では、図４に示されるように、可撓性の細長い部材１０６の遠位端部は、さらに、面ファスナー材料、スナップ、フック、または任意の他の知られている閉鎖装置および／または好都合な閉鎖装置の相補的部分を備えることができる。他の実施形態では、図５に示されるように、単一の可撓性の細長い部材１０６は、ベース部材１０２の横方向のいずれかの縁部から延び、面ファスナー材料、スナップ、フック、または任意の他の知られている閉鎖装置および／または好都合な閉鎖装置によってベース部材１０２の表面上の別の領域に連結することができる。他の実施形態では、単一の可撓性の細長い部材１０６は、ベース部材１０２の１つの縁部から延びることができ、反対側の縁部またはベース部材１０２上の任意の他の知られている場所および／または好都合な場所に貼り付けられ得る。一部の実施形態では、可撓性の細長い部材（複数可）１０６は、足のアーチまたは甲部分に巻き付くのに十分な長さのものになり得る。他の実施形態では、可撓性の細長い部材（複数可）１０６は、さらなる支持をもたらすために足首または足の他の部分に巻き付くことができるように、より長くなることができ、ベース部材１０２上の任意の知られている場所および／または好都合な場所に配置され得る。
【００１９】
図５は、ベース部材が複数の穿孔５０２を有することができる本発明の装置の別の実施形態を示している。これらの穿孔は、空気循環を促進させ、快適感を向上させることができる。
【００２０】
図６は、振動装置６０２が、ベース部材１０２内に位置することができる本発明の装置の別の実施形態を示している。一部の実施形態では、振動装置６０２は、取り外し可能または交換可能になり得るが、他の実施形態では、ベース部材１０２内に恒久的に固定され得る。
【００２１】
使用時、人は、本発明の装置を足の裏の真下に置き、ベース部材１０２および隆起領域１０４を、支持またはクッション性を必要としている足の領域のほぼ下に配置する。ユーザは、不快感を和らげ、または支持をもたらすために、本発明の装置を、縦アーチ、中足骨アーチ、踵、または任意の他の所望の位置の下方に配置することができる。少なくとも１つの可撓性の細長い部材１０６は、足周りに巻き付き、本発明の装置を足上の所定位置に固定するとともに、さらなる圧縮および支持をもたらすことができる。ユーザが靴を変える場合、支持装置を靴間で変える必要なくそれを行うことができる。
【００２２】
取り外し可能な支持部材２０２を有する実施形態では、人は、所望のレベルの支持に基づいて支持部材２０２を選択し、次いで、支持部材２０２をポケット３０２内に挿入することができる。ユーザは、不快感を和らげ、または支持をもたらすために、本発明の装置を、縦アーチ、中足骨アーチ、踵、または任意の他の所望の位置の下方に配置することができる。
【００２３】
本発明は、その特有の実施形態に合わせて説明されてきたが、多くの代替形態、改変形態、および変更形態が、当業者に明らかになることは明白である。したがって、説明され特許請求される本発明は、付属の特許請求の範囲の趣旨および広範な範囲内に含まれるそのようなすべての代替形態、改変形態、および変更形態を包含することが意図される。
【図１】
2012521810.tif 000003
【図１Ａ】
2012521810.tif 000004
【図１Ｂ】
2012521810.tif 000005
【図１Ｃ】
2012521810.tif 000006
【図２】
2012521810.tif 000007
【図２Ａ】
2012521810.tif 000008
【図３】
2012521810.tif 000009
【図４】
2012521810.tif 000010
【図５】
2012521810.tif 000011
【図６】
2012521810.tif 000012
【国際調査報告】
2012521810.tif 000013
2012521810.tif 000014
2012521810.tif 000015